(57)【特許請求の範囲】
【請求項１】
非接触型ＩＣ媒体と非接触状態でデータの通信を行う通信手段と、この通信手段を介して前記非接触型ＩＣ媒体に記録されているデータの読み・書きを行うデータ処理手段と、
前記非接触型ＩＣ媒体を直接的または間接的に載置する載置部と、この載置部に前記非接触型ＩＣ媒体を直接的または間接的に載置するための窓と、この窓を開閉するシャッタとを備えた非接触型ＩＣ媒体処理装置において、
前記窓を装置の前面側と上面側とに互いに連続させて設け、前記シャッタを前記窓に沿って移動させ、
前記シャッタを前記前面側の窓を覆う第１のシャッタと前記上面側の窓を覆う第２のシャッタとによって構成し、前記第１のシャッタおよび前記第２のシャッタを蝶番によって連結したことを特徴とする非接触型ＩＣ媒体処理装置。
【請求項２】
前記シャッタが閉じられたことを検知するセンサと、このセンサの検知により前記シャッタの閉じ状態を保持するロック手段とを備えたことを特徴とする請求項１記載の非接触型ＩＣ媒体処理装置。
【請求項３】
前記前面側の窓を後部側に傾斜させたことを特徴とする請求項１または２項記載の非接触型ＩＣ媒体処理装置。
【請求項４】
前記シャッタが閉じた状態で当該シャッタの端部と前記窓の端部との間に前記非接触型ＩＣ媒体に直接的または間接的に付けられた付属品を導出するための隙間を設けたことを特徴とする請求項１ないし３のうちいずれか一項記載の非接触型ＩＣ媒体処理装置。
【発明の詳細な説明】
【技術分野】
【０００１】
本発明は、非接触型ＩＣ媒体に記録されているデータを非接触状態で処理する非接触型ＩＣ媒体処理装置に関するものである。
【背景技術】
【０００２】
この種の装置では、載置部に載置されデータを処理している最中に、故意または誤って非接触型ＩＣ媒体を装置から抜き取られないようにするため、載置部に載置された非接触型ＩＣ媒体を覆うシャッタが設けられている。従来の非接触型ＩＣ媒体処理装置としては、非接触型ＩＣ媒体と非接触状態でデータの通信を行う通信手段と、この通信手段を介して前記非接触型ＩＣ媒体に記録されているデータの読み・書きを行うデータ処理手段と、前記非接触型ＩＣ媒体を載置する載置部と、この載置部に前記非接触型ＩＣ媒体を載置するための窓と、この窓を開閉するシャッタとを備えたものがある（例えば、特許文献１参照）。
【特許文献１】特開２００６−４８４５５号公報
【発明の開示】
【発明が解決しようとする課題】
【０００３】
上述した従来の非接触型ＩＣ媒体処理装置においては、窓が装置の前面部のみに設けられているため、非接触型ＩＣ媒体を載置部に載置するために、非接触型ＩＣ媒体を窓から装置内に差し入れるときに差し入れずらく、利用者にとって使い勝手が悪いという問題があった。
【０００４】
本発明は上記した従来の問題に鑑みなされたものであり、その目的とするところは、非接触型ＩＣ媒体を窓から装置内に差し入れるときに差し入れ易くして、利用者にとって使い勝手を向上させた非接触型ＩＣ媒体処理装置を提供するところにある。
【課題を解決するための手段】
【０００５】
この目的を達成するために、本発明は、非接触型ＩＣ媒体と非接触状態でデータの通信を行う通信手段と、この通信手段を介して前記非接触型ＩＣ媒体に記録されているデータの読み・書きを行うデータ処理手段と、前記非接触型ＩＣ媒体を直接的または間接的に載置する載置部と、この載置部に前記非接触型ＩＣ媒体を直接的または間接的に載置するための窓と、この窓を開閉するシャッタとを備えた非接触型ＩＣ媒体処理装置において、前記窓を装置の前面側と上面側とに互いに連続させて設け、前記シャッタを前記窓に沿って移動させ、前記シャッタを前記前面側の窓を覆う第１のシャッタと前記上面側の窓を覆う第２のシャッタとによって構成し、前記第１のシャッタおよび前記第２のシャッタを蝶番によって連結したものである。
【０００７】
本発明は、前記発明のいずれか一つの発明において、前記シャッタが閉じられたことを検知するセンサと、このセンサの検知により前記シャッタの閉じ状態を保持するロック手段とを備えたものである。
【０００８】
本発明は、前記発明のいずれか一つの発明において、前記前面部側の窓を後部側に傾斜させたものである。
【０００９】
本発明は、前記発明のいずれか一つの発明において、前記シャッタが閉じた状態で当該シャッタの端部と前記窓の端部との間に前記非接触型ＩＣ媒体に付けられた付属品を導出するための隙間を設けたものである。
【発明の効果】
【００１０】
本発明によれば、窓を装置の前面側だけでなく上面側に連続させて設けたことにより、携帯端末機または財布等あるいは非接触型ＩＣ媒体単体を装置内に差し入れやすくなるから利用者にとって使い勝手が向上する。また、窓を装置の上面側にも設けたことにより、前面側に設けた窓の高さを低くすることができるため、装置の薄型化を図ることができる。さらに第１および第２のシャッタを蝶番によって連結したことにより、二つの窓を開閉する第１および第２のシャッタによる開閉動作が円滑に行われる。
【００１２】
前記発明のうちの一つの発明によれば、シャッタが閉じられるとロック手段によってシャッタの閉じた状態が保持されるため、非接触型ＩＣ媒体が処理されている間に、故意または誤って携帯端末機または財布等あるいは非接触型ＩＣ媒体単体が抜き取られるようなことがない。
【００１３】
前記発明のうちの一つの発明によれば、前面側の窓を後部側に傾斜させたことにより、携帯端末機または財布等あるいは非接触型ＩＣ媒体単体を装置内に差し入れ易くなるから利用者にとって使い勝手が向上する。
【００１４】
前記発明のうちの一つの発明によれば、携帯端末機または財布等あるいは非接触型ＩＣ媒体単体に付けられた付属品がシャッタの隙間から装置の外部に導出されるため、載置部に載置された携帯端末機または財布等あるいは非接触型ＩＣ媒体単体が付属品によって載置部から浮き上がるようなことがないからデータの処理不良が発生するようなことがない。
【発明を実施するための最良の形態】
【００１５】
以下、本発明の実施の形態を図に基づいて説明する。図１は本発明に係る非接触型ＩＣ媒体処理装置の外観を示す斜視図、図２は同じくシャッタによって窓を閉塞した状態を示す平面図、図３は図２におけるIII-III 線断面図、図４は窓を開放した状態を示す平面図、図５は図４におけるV-V 線断面図である。
【００１６】
図１に全体を符号１で示す非接触型ＩＣ媒体処理装置は、互いに対向する両側面部３，３と、後面部４と、上面部５と、上面部５と対向する底面部６とによって箱状に形成された筺体２を備えている。この筺体２の前面側と上面側とのそれぞれには、互いに連続した窓８，９が設けられており、前面側の窓８は上部側が後面部４側に角度αだけ傾斜している。上面部５の中央部には、図４に示すように前後方向に延在するスリット状に形成された挿通溝１１が設けられている。１２は上面部５に設けられ後述する係止片４８が臨む角穴である。
【００１７】
両側部３，３の内側のそれぞれには、図３に示すように略Ｌ字状に形成され互いに対向するガイド溝１３，１３（一方のガイド溝１３は図示を省略）が窓８，９に沿い、かつ後面部４側に向かって延設されるように設けられている。１５は筺体２の底部６に立設され断面コ字状に形成された載置台であって、上面部の窓９に対向した部位には、非接触型ＩＣ媒体を直接的または間接的に載置する（ここでの直接的または間接的にとは、非接触型ＩＣ媒体単体を直接的に載置する場合だけではなく、非接触型ＩＣ媒体を内蔵した携帯端末機や非接触型ＩＣ媒体を収納した財布等を載置するというように非接触型ＩＣ媒体を間接的に載置する場合を含むことを意味している）載置部１５ａが設けられている。
【００１８】
１６は載置部１５ａに載置される携帯端末機に内蔵された非接触型ＩＣ媒体または財布等に収納された非接触型ＩＣ媒体あるいは非接触型ＩＣ媒体単体と、非接触状態でデータの通信を行う通信手段としてのアンテナ基板であって、載置部１５ａの下方に載置部１５ａと対向するように設けられている。１７は載置台１５に固定された制御基板である。１８はアンテナ基板１６を介して載置部１５ａに載置された携帯端末機に内蔵された非接触型ＩＣ媒体または財布等に収納された非接触型ＩＣ媒体あるいは非接触型ＩＣ媒体単体に記録されているデータの読み・書きを行うデータ処理手段としてのリーダライタ制御部である。
【００１９】
図１および図３において、２０は前面側の窓８を閉塞するための第１のシャッタであって、中央部に矩形状に形成され透明部材によって覆われた透孔２０ａが設けられており、下端に切欠き２０ｂが形成されている。２１は上面側の窓９を閉塞するための第２のシャッタであって、中央部に矩形状に形成され透明部材によって覆われた透孔２１ａが設けられており、背面側の中央部には、図３に示すように後述するブラケット３５が係入される係入溝２１ｂが設けられている。
【００２０】
これら第１および第２のシャッタ２０，２１は、蝶番２３を介して互いに回動自在に枢着されシャッタ２２を構成しており、これら第１および第２のシャッタ２０，２１の両側部には、上記したガイド溝１３に係入されるコロ２４，２５が回転自在に支持されている。したがって、シャッタ２２は、コロ２４，２５がガイド溝１３に案内されることにより、後述するシャッタ駆動手段３０によって、図３に示す窓８，９を閉塞する位置と、図５に示す窓８，９を開放する位置との間を移動する。この移動に際しては、第１および第２のシャッタ２０，２１が蝶番２３を介して連結されているため、ガイド溝１３が直線状ではなくＬ字状に形成されているにもかかわらず、シャッタ２３の移動が円滑に行われる。
【００２１】
次に、図２ないし図５を用いて、シャッタ２３を移動させるシャッタ駆動手段３０について説明する。図２に全体を符号３０で示すシャッタ駆動手段は、一方向および他方向に駆動するモータ３１と、このモータ３１の駆動によって回転し装置の前後方向に延在するねじ棒３２と、このねじ棒３２に螺合するナット３３と、このナット３３の回転を規制し当該ナット３３を前後方向に案内するガイド棒３４と、ナット３３とシャッタ２３との間に設けられシャッタ２３をナット３３と一体的に移動させるブラケット３５とによって概ね構成されている。
【００２２】
モータ３１の出力軸に軸着されたギア３６と、ねじ棒３２の一端部に軸着されたギア３７とにはギア３８が噛合しており、これらギア３６，３８，３７を介してモータ３１の駆動がねじ棒３２に伝達される。ねじ棒３２は図示を省略したブラケットによって、回転自在で、軸線方向への移動を規制された状態で筺体２の上面部５に支持されている。ナット３３には鍔３３ａが一体に設けられており、この鍔３３ａに設けられた孔（図示せず）に、装置の前後方向に横架されたガイド棒３４が貫挿されている。ブラケット３５の上端部はナット３３の鍔３３ａに固定され、このブラケット３５の下端部３５ａは、図３に示すように挿通溝１１を挿通されて、上記した第２のシャッタ２１の係入溝２１ｂに係入されている。
【００２３】
４０は筺体２の上面部５に設けられた窓閉塞検出用センサ、４１は筺体２の上面部５に設けられた窓開放検出用センサであって、ブラケット３５に取り付けられた被検出片３９を検出する。すなわち、シャッタ２２によって窓８，９が閉塞された図３に示す状態で、被検出片３９が窓閉塞検出用センサ４０によって検出され、窓８，９が開放された図５に示す状態で、被検出片３９は窓開放検出用センサ４１によって検出される。
【００２４】
次に、図２ないし図５を用いて、窓８，９を閉塞したシャッタ２２をロックするロック手段４５について説明する。図３に全体を符号４５で示すロック手段は、筺体２の上面部５に設けられたソレノイド４６と、このソレノイド４６のプランジャー４６ａにピン４７を介して枢着された係止片４８とによって構成されている。係止片４８は図示を省略したブラケットを介して筺体２の上面部５に軸４９を揺動中心として揺動自在に支持されており、揺動端部に上記した第２のシャッタ２１の後端部を係止する係止部４８ａが設けられている。
【００２５】
このような構成において、ソレノイド４６のプランジャー４６ａが後退すると、係止片４８は、図５に示すように軸４９を揺動中心として時計方向に揺動することにより、係止部４８ａが筺体２の内側から外側へ退避する。一方、ソレノイド４６のプランジャー４６ａが前進すると、係止片４８は、図３に示すように軸４９を揺動中心として反時計方向に揺動することにより、係止部４８ａが角穴１２から筺体２の内部へ進出する。図３において、５０はシャッタ駆動手段３０およびロック手段４５を覆うカバーであって、図２および図４においては図示を省略している。
【００２６】
次に、このように構成された非接触型ＩＣ媒体処理装置１による媒体の処理動作について説明する。予め、非接触型ＩＣ媒体処理装置１は、ソレノイド４６のプランジャー４６ａが後退することにより、係止部４８ａが図５に示すように筺体２の内側から外側へ退避しているとともに、モータ３１が一方向に駆動することにより、図４に示すように、ナット３３がねじ棒３２の右端部に移動している。このナット３３の移動により、シャッタ２２がブラケット３５を介してナット３３と一体的に移動するため、図５に示すように窓８，９が開放されている。この状態で、利用者はこの非接触型ＩＣ媒体処理装置１が付設された発券装置（図示せず）での発券動作を行う。
【００２７】
次いで、利用者は非接触型ＩＣ媒体処理装置１の開放されている窓８，９から、非接触型ＩＣ媒体が内蔵されている携帯端末機等（図示せず）を載置部１５ａに載置する。このとき、窓８，９を筺体２の前面側だけでなく上面側にも連続させて設けたことにより、携帯端末機を筺体２内に差し入れ易くなるから利用者にとって使い勝手が向上する。また、窓９を装置の上面側にも設けたことにより、前面側に設けた窓８の高さを低くすることができるため、装置の薄型化を図ることができる。同時に、前面側の窓８の上部側を後面部４側に向かって角度αだけ傾斜させたことにより、携帯端末機を筺体２内に差し入れやすくなるから利用者にとって使い勝手が向上する。
【００２８】
載置部１５ａに載置された携帯端末機にアクセサリーやストラップ等の付属品が付けられている場合は、これら付属品を前面側の窓８から装置の外部に引き出しておく。載置部１５ａに携帯端末機が載置されたことがセンサ（図示せず）によって検出されると、モータ３１が他方向に駆動し、図２に示すように、ナット３３がねじ棒３２の左端部に移動し、被検出片３９が窓閉塞検出用センサ４０によって検出されることによりモータ３１の駆動が停止する。このナット３３の移動により、シャッタ２２がブラケット３５を介してナット３３と一体的に移動するため、図３に示すように窓８，９が第１および第２のシャッタ２０，２１により閉塞される。
【００２９】
このとき、第１のシャッタ２０の下端部に、図１に示すように切欠き２０ｂが設けられているから、第１のシャッタ２０の下端と窓８の下端との間に隙間が形成され、予め前面側の窓８から装置の外部に引き出しておいた付属品は、この隙間から非接触型ＩＣ媒体処理装置１の外部に導出されることになる。このため、付属品によって携帯端末機が載置部１５ａから浮き上がったりするようなことがないから、アンテナ基板１６との間の通信が確実に行われるので、リーダライタ制御部１８におけるデータの処理不良が発生するようなことがない。また、窓８，９を閉塞した第１および第２のシャッタ２０，２１のそれぞれには、透明部材によって覆われた透孔２０ａ，２１ａが設けられているため、利用者はこれら透孔２０ａ，２１ａから載置部１５ａに載置された携帯端末機を確認することができる。
【００３０】
第１および第２のシャッタ２０，２１によって窓８，９が閉塞されたことが窓閉塞検出用センサ４０によって検出されると、ソレノイド４６が駆動し、プランジャー４６ａが前進することにより、係止片４８が軸４９を揺動中心として図３中反時計方向へ揺動する。。この係止片４８の揺動により、係止部４８ａが角穴１２から筺体２内に進出し、窓９を閉塞している第２のシャッタ２１の後端部を係止することによって、シャッタ２２の移動を規制し、シャッタ２２による窓８，９の閉塞状態を保持する。このため、故意または誤って、シャッタ２２を移動させて窓８，９を開放するようなことができないから、載置部１５ａに載置された携帯端末機に内蔵された非接触型ＩＣ媒体に記録されているデータの処理が行われている最中に、携帯端末機が窓８，９から抜き取られるようなことがない。
【００３１】
携帯端末機に内蔵された非接触型ＩＣ媒体に記録されているデータの処理が終了したら、ソレノイド４６のプランジャー４６ａが後退し、係止片４８が軸４９を揺動中心として、図５中時計方向に揺動することにより、係止部４８ａが角穴１２から筺体２の外側に退避し、係止部４８ａと窓９を閉塞している第２のシャッタ２１の後端部との係合が解除される。係合が解除されると、モータ３１が一方向に駆動し、図４に示すように、ナット３３がねじ棒３２の右端部に移動する。このナット３３の移動により、シャッタ２２がブラケット３５を介してナット３３と一体的に移動するため、図４に示すように窓８，９が開放されるとともに、窓開放検出用センサ４１によって窓８，９の開放が検出されるので、モータ３１の駆動が停止する。したがって、利用者は開放された窓８，９から手を差し入れ、載置部１５ａに載置されている携帯端末機を取り上げる。
【図面の簡単な説明】
【００３２】
【図１】本発明に係る非接触型ＩＣ媒体処理装置の外観を示す斜視図である。
【図２】本発明に係る非接触型ＩＣ媒体処理装置において、シャッタによって窓を閉塞した状態を示す平面図である。
【図３】図２におけるIII-III 線断面図である。
【図４】本発明に係る非接触型ＩＣ媒体処理装置において、窓を開放した状態を示す平面図である。
【図５】図４におけるV-V 線断面図である。
【符号の説明】
【００３３】
１…非接触型ＩＣ媒体処理装置、２…筺体、８…前部側の窓、９…上部側の窓、１３…ガイド溝、１５ａ…載置部、１６…アンテナ基板（通信手段）、１８…リーダライタ制御部（データ処理手段）、２０…第１のシャッタ、２１…第２のシャッタ、２２…シャッタ、２３…蝶番、２４，２５…コロ、３０…シャッタ駆動手段、３１…モータ、３２…ねじ棒、３３…ナット、３５…ブラケット、３９…被検出片、４０…窓閉塞検出用センサ、４１…窓開放検出用センサ、４５…ロック手段、４６…ソレノイド、４８…係止片。
【図１】
0005157497.tif 000002
【図２】
0005157497.tif 000003
【図３】
0005157497.tif 000004
【図４】
0005157497.tif 000005
【図５】
0005157497.tif 000006